(57)【要約】【課題】  ランプを直視することによるグレアを防止しながら、ランプの光量を有効に利用して作業面を明るく照らすことの可能な照明器具を提供する。【解決手段】  光源となるランプ１を設置した照明器具本体２と、ランプ１を覆う照明カバー３とを具備し、照明カバー３を透過して照射されるランプ光で作業面２０を照らす照明器具において、照明カバー３のうち、ランプ１と作業面２０の間に位置する中央部分を拡散部７とし、該拡散部７を囲む周縁部分を透明部８とすると共に、照明カバー３を囲む位置には、透明部８を透過したランプ光を作業面２０に向けて集光するリフレクタ９を備えたものとする。【選択図】図１
2008270096.tif 000002
【特許請求の範囲】
【請求項１】
光源となるランプを設置した照明器具本体と、ランプを覆う照明カバーとを具備し、照明カバーを透過して照射されるランプ光で作業面を照らす照明器具において、照明カバーのうち、ランプと作業面の間に位置する中央部分を拡散部とし、該拡散部を囲む周縁部分を透明部とすると共に、透明部を透過したランプ光を作業面に向けて集光するリフレクタを備えることを特徴とする照明器具。
【請求項２】
上記リフレクタは、ランプを視認することが可能な作業面側の領域を、照明カバーの拡散部を通じてのみランプが視認可能な領域に規制するものであることを特徴とする請求項１に記載の照明器具。
【発明の詳細な説明】
【技術分野】
【０００１】
本発明は、照明カバーを備えた照明器具に関する。
【背景技術】
【０００２】
照明器具において、光源となるランプを露出させている場合や、ランプを透明の照明カバーで覆っている場合には、点灯時にランプを作業面側から直視するとグレアを生じて不快感を与えるうといった問題や、非点灯時にもランプが作業面側から視認されるので意匠性が低くなるといった問題がある。これに対して、図３に概略的に示すように、光源となるランプ１を設置した照明器具本体２に、シボ加工等の拡散処理を施した照明カバー３を備えてランプ１を覆うようにした照明器具が、従来から提案されている（例えば特許文献１参照）。このように拡散処理を施した照明カバー３を備えておけば、点灯時にランプ１を作業面２０側から視たときも、拡散処理された照明カバー３を通じてランプ１を視ることになるのでグレアを生じることがなく、また、非点灯時にはランプ１が作業面２０側から視認され難くなるので意匠性は良好に保持される。
【０００３】
ところが、上記の拡散処理された照明カバー３を備えただけの照明器具にあっては、以下の問題が生じる。つまり、点灯時にランプ１から照射されるランプ光の全てが照明カバー３を透過する際に拡散処理されるため、透過損失による全体の光量ロスが大きくなり、しかも拡散処理された光は全体に広がるので、作業面２０を効率的に照明することができないという問題である。
【特許文献１】特開２００６−２９４３５２号公報
【発明の開示】
【発明が解決しようとする課題】
【０００４】
本発明は上記問題点に鑑みて発明したものであって、ランプを直視することによるグレアを防止しながら、ランプの光量を有効に利用して作業面を明るく照らすことの可能な照明器具を提供することを、課題とするものである。
【課題を解決するための手段】
【０００５】
上記課題を解決するために本発明を、光源となるランプ１を設置した照明器具本体２と、ランプ１を覆う照明カバー３とを具備し、照明カバー３を透過して照射されるランプ光で作業面２０を照らす照明器具において、照明カバー３のうち、ランプ１と作業面２０の間に位置する中央部分を拡散部７とし、該拡散部７を囲む周縁部分を透明部８とすると共に、透明部８を透過したランプ光を作業面２０に向けて集光するリフレクタ９を備えたものとする。
【０００６】
上記構成の照明器具にあっては、ランプ１から放出されるランプ光は照明カバー３の拡散部７を通じて作業面２０側に直接照射されるので、作業面２０側の使用者がランプ１を直視してグレアを生じるといった事態は防止される。しかも、この透過率が小さく且つ指向性の低い拡散部７は照明カバー３の中央部分に限定し、他の周縁部分は透過率が大きく且つ指向性の高い透明部８とし、この透明部８を透過したランプ光はリフレクタ９を介して作業面２０側に集光されるように設けているので、全体の光量を極力ロスすることなく、作業面２０を効率的に照明することが可能となっている。
【０００７】
また、上記リフレクタ９は、ランプ１を視認することが可能な作業面２０側の領域を、照明カバー３の拡散部７を通じてのみランプ１が視認可能な領域に規制するものであることが好適である。このようにすることで、作業面２０側の使用者がランプ１を直視してグレアを生じるといった事態が更に確実に防止される。
【発明の効果】
【０００８】
請求項１に係る発明は、ランプを直視することによるグレアを防止しながら、ランプの光量を有効に利用して作業面を明るく照らすことができるという効果を奏する。
【０００９】
また請求項２に係る発明は、請求項１に係る発明の効果に加えて、更に確実にグレアを防止することができるという効果を奏する。
【発明を実施するための最良の形態】
【００１０】
以下、本発明を添付図面に示す実施形態に基づいて説明する。なお、図３に示した従来例と同様の構成については同一符号を付して、重複する説明は省略する。図１、図２には、本発明の実施形態における一例の照明器具を示している。本例の照明器具は、作業面２０を上方から照明するためのダウンライトであり、具体的には、居室空間内の流し元を作業面とする流し元灯として、好適に用いられる。
【００１１】
本例においては、照明器具本体２の下面として円形状に形成される平坦なランプ設置面４に、ＬＥＤから成るランプ１を複数個（図示例では四つ）設置している。各ランプ１の配置は、ランプ設置面４の外縁から一定幅だけ内側に描かれる円周上において、周方向に等間隔を隔てた箇所となっている（図２参照）。
【００１２】
照明器具本体２の下側には、ランプ設置面４との間で全てのランプ１を囲む有底筒状の照明カバー３が取り付けてある。この照明カバー３は、円板状を成す底壁部５と、この底壁部５の外周縁から上方に延設される円筒状の側壁部６から成る。照明カバー３のうち底壁部５にはシボ加工を施してあり、透過する光が拡散するようになっている。また照明カバー３のうち側壁部６にはシボ加工等の拡散処理は施してなく、光が拡散することなく高効率で透過するようになっている。即ち本例にあっては、照明カバー３のうちで各ランプ１とその下方の作業面２０との間に位置する中央部分を成す底壁部５が、透過率が小さく且つ指向性の低い拡散部７となり、照明カバー３のうちで該拡散部７を囲む周縁部分を成す側壁部６が、透過率が大きく且つ指向性の高い透明部８となる構造である。
【００１３】
更に照明器具本体２の照明カバー３を囲む位置には、照明カバー３の透明な側壁部６を透過したランプ光を反射させて下方の作業面２０に集光させるためのリフレクタ９を装着させている。このリフレクタ９は、ランプ１及び照明カバー３から作業面２０側に（即ち下方に）向けて離れるほど内径が漸次大きくなるように形成したスカート状の部材であり、その内周面が反射面１０となっている。
【００１４】
リフレクタ９の作業面２０側を向いて開口する開口縁１１は、照明カバー３の底壁部５よりも作業面２０側に大きく突出した形状になっている。図１に位置関係を概略的に示すように、この開口縁１１上の点と照明カバー３の底壁部５の端縁上の点とを結ぶ直線Ｌを描いたとき、該直線Ｌの内側に位置するように各ランプ１を配置させているので、作業面２０側に位置する使用者からすればリフレクタ９が遮蔽板となり、照明カバー３のうち拡散処理を施した底壁部５を通じてしか各ランプ１を視認することができない構造となっている。換言すれば、上記リフレクタ９は透明な側壁部６を通じて側方に透過されるランプ光を下方に集光させる部材として機能すると共に、各ランプ１を視認することが可能な作業面２０側の領域を、照明カバー３の拡散部７を通じてのみランプ１が視認可能な領域（図中の直線Ｌの内側の領域）に規制する部材としても、機能する。なお、図示例では各ランプ１の全部が直線Ｌの内側に位置するように配置しているが、各ランプ１の一部のみが直線Ｌの外側に位置する配置としてもよい。
【００１５】
上記構成の照明器具とすることで、各ランプ１のランプ光は照明カバー３の拡散部７を通じて作業面２０側に直接照射されることとなり、作業面２０側の使用者がランプ１を直視してグレアを生じるといった事態が防止される。しかも、この透過率が小さく且つ指向性の低い拡散部分は照明カバー３のうち底壁部５に限定し、他の部分つまり側壁部６は透過率が大きく且つ指向性の高い透明部分とし、この透明部分を透過して側方に照射されたランプ光はリフレクタ９を介して作業面２０の主に周縁部分に集光されるように設けているので、光量を極力ロスすることなく、作業面２０を効率的に照明することが可能となっている。
【００１６】
なお、照明カバー３の底壁部５の拡散処理はシボ加工には限定されず、透過するランプ光を拡散させる処理であれば、他の手段であっても構わない。またランプ１についてもＬＥＤには限定されず、蛍光灯等のいずれを用いてもよい。ただし本例の構造は、蛍光灯と比較して輝度は高いが光量の少ないＬＥＤを用いてＬＥＤ照明器具とした場合に、特に相性の良い構造である。更に、本例の構造はダウンライトに限定されず、光源となるランプ１、作業面２０、作業者視点の位置が図１に示すような関係となる照明器具であれば、問題なく適用可能である。
【図面の簡単な説明】
【００１７】
【図１】本発明の実施形態における一例の照明器具を示す説明用の概略断面図である。
【図２】同上の照明器具を示す説明用の概略斜視図である。
【図３】従来の照明器具を示す説明用の概略断面図である
【符号の説明】
【００１８】
１  ランプ
２  照明器具本体
３  照明カバー
７  拡散部
８  透明部
９  リフレクタ
２０  作業面
【図１】
2008270096.tif 000003
【図２】
2008270096.tif 000004
【図３】
2008270096.tif 000005